(57)【特許請求の範囲】
【請求項１】
ブーツシェルと、このブーツシェルにレッグ枢着ピンを介して回動自在に枢着されたブーツレッグとの間に設けられ、前記ブーツシェルに前記ブーツレッグを締め付けるための締め金具であって、
一端側が前記ブーツシェルに第一のピンを介して回動自在に枢着された第一の部材と、この第一の部材に連結ピンを介して一端側が回動自在に枢着されると共に他端側が前記ブーツレッグに第二のピンを介して回動自在に枢着された第二の部材と、これら第一の部材および第二の部材の何れか一方に形成される操作アームとを具え、
前記第一の部材および前記第二の部材の何れか一方は、全体の長さが変わるように相互に連結した少なくとも二つの連結調整部材からなり、これら少なくとも二つの連結調整部材は、全体の長さが伸縮し得るように相対的に摺動可能に連結されていること
を特徴とする締め金具。
【請求項２】
一方の前記連結調整部材には、他方の前記連結調整部材の突出部が摺動自在に係合する溝部が形成されていることを特徴とする請求項１に記載した締め金具。
【請求項３】
一方の前記連結調整部材が中空をなし、この一方の連結調整部材の内側に他方の前記連結調整部材の一部が収納されていることを特徴とする請求項１に記載の締め金具。
【請求項４】
前記締め金具は前記ブーツシェルの後部に配置され、前記第一の部材は前記ブーツシェルに前記第一のピンを介して回動自在に枢着され、前記第二の部材は前記ブーツレッグに前記第二のピンを介して回動自在に枢着され、前記操作アームは前記第二の部材に形成され、前記連係調整部材は前記第一の部材に設けられていることを特徴とする請求項１から請求項３の何れかに記載の締め金具。
【請求項５】
前記第一のピンと前記第二のピンとの間に前記連結ピンが位置して前記ブーツレッグの後方移動を阻止する前記締め金具の締め付け位置が設定され、この締め付け位置において前記第一の部材の長さが最小となることを特徴とする請求項４に記載の締め金具。
【請求項６】
前記第二のピンに対して前記第一のピンの反対側に前記連結ピンが位置して前記ブーツレッグの後方移動を許容する前記締め金具の締め付け解除位置が設定され、この締め付け解除位置において前記第一の部材の長さが最大となることを特徴とする請求項４または請求項５に記載の締め金具。
【請求項７】
前記締め金具は、前記締め付け位置および前記締め付け解除位置の両方で、前記ブーツレッグに形成した台座に収納されるものであることを特徴とする請求項６に記載の締め金具。
【請求項８】
前記少なくとも二つの連結調整部材の間に緩衝部材が介装されていることを特徴とする請求項１から請求項７の何れかに記載の締め金具。
【請求項９】
前記緩衝部材がコイルばねを有するものであることを特徴とする請求項８に記載の締め金具。
【請求項１０】
前記ブーツシェルに対して前記第一の部材を回動自在に枢着する前記第一のピンは、少なくとも二つの位置に移動可能であることを特徴とする請求項４から請求項９の何れかに記載の締め金具。
【請求項１１】
前記第一のピンは、前記ブーツシェルに形成したピン案内溝に沿って移動可能であることを特徴とする請求項１０に記載の締め金具。
【請求項１２】
前記第二の部材がクランク状部材であることを特徴とする請求項１から請求項１１の何れかに記載の締め金具。
【請求項１３】
前記他方の連結調整部材の一部がねじ軸であり、前記一方の連結調整部材が枠状に形成され、その内側に前記ねじ軸と、このねじ軸を囲む圧縮ばねと、前記ねじ軸に螺合するナットとが収容され、これによって前記圧縮ばねの一端が前記ナットに当接すると共に前記圧縮ばねの他端が前記枠状をなす前記一方の連結調整部材の底部に当接して前記ブーツレッグの傾きを調整可能とすることを特徴とする請求項３に記載の締め金具。
【請求項１４】
前記ナット部材の外周面には操作用のきざみが形成されていることを特徴とする請求項１３に記載の締め金具。
【請求項１５】
前記枠状をなす一方の連結調整部材の外側に位置する前記ねじ軸の一端部には、調整ノブが取り付けられ、この調整ノブは、前記ねじ軸の長手方向に沿って移動可能に設けられていることを特徴とする請求項１３に記載の締め金具。
【請求項１６】
前記調整ノブには、前記ねじ軸にねじ込まれる雌ねじ部が形成されていることを特徴とする請求項１５に記載の締め金具。
【発明の詳細な説明】
【０００１】
【産業上の利用分野】
本発明は、ブーツシェルに対してブーツレッグが回動自在に枢着された形態のスポーツ用ブーツのための締め金具に関し、特にリヤエントリータイプのスキーブーツに応用して好適なものである。
【０００２】
なお、本明細書の記述は本件出願の優先権の基礎たるイタリア国実用新案登録出願第ＴＶ９３Ｕ  ００００５６号の明細書の記載に基づくものであって、当該イタリア国実用新案登録出願の番号を参照することによって当該イタリア国実用新案登録出願の明細書の記載内容が本明細書の一部分を構成するものとする。
【０００３】
【従来の技術】
モトクロスシューズや、スノーボード用のスキーブーツ、あるいは山スキー、特にスキーブーツなどのスポーツ用ブーツにおいては、足入れ性や脱ぎ易さを確保するためにブーツシェルに対してブーツレッグを回動自在に枢着し、このブーツレッグを回動することによりブーツの開口部を広げるようにしたものが知られている。このような形式のブーツ、特に、近年のスキーブーツにおいては、スキーヤーの脚の下部を包むと共に足ならびにスキーに対して脚の曲げの変化を許容する機能を持つ堅固な合成樹脂を成形してなるブーツシェルに対し、スキーブーツの履き心地をより快適にするため、軟質材料で作ったインナシューズがブーツシェルおよびブーツレッグの内側に収納されている。
【０００４】
スキーブーツのブーツシェルとブーツレッグとの間に設けられて、ブーツレッグをブーツシェルに締め付けるための締め金具は、一端側が相互に回動自在に枢着された少なくとも第一の部材と第二の部材とを有する。そして、これら第一の部材および第二の部材のそれぞれ他端側は、ブーツシェルおよびブーツレッグに対して回動自在に枢着され、第一の部材および第二の部材の何れか一方には、操作アームが形成されている。
【０００５】
スキーブーツに対して足を入れる方法に関し、実質的に二つの形式のスキーブーツが存在する。第一の形式、いわゆるフロントエントリータイプのスキーブーツは、通常、足を入れるために幅を広げることができる開口を形成する二つのフラップがスキーブーツの前部に設けられる。リヤエントリータイプのスキーブーツとして知られた第二の形式のものは、ブーツシェルと前べろとブーツレッグとを有する。リヤエントリータイプのスキーブーツがフロントエントリータイプのスキーブーツよりも簡単に足入れができることは、極めて明白である。さらに、このリヤエントリータイプのスキーブーツは、水および雪に対しても良好な密閉性を有する。
【０００６】
【発明が解決しようとする課題】
従来のリヤエントリータイプのスキーブーツは、足入れ性を容易にするため、その着脱時に足の甲に対応するスキーブーツの部分と、かかとが収納されるスキーブーツの部分との間の距離を増大させなければならず、このために以下に記すような不具合を有する。
【０００７】
すなわち、装着時に足とスキーブーツとの間の微小な隙間あるいは軽い接触状態を確保するため、足の甲に対応するスキーブーツの部分の厚みを増大させる必要がある。この結果、ブーツシェルに対して調整可能なブーツレッグの傾き量が不足気味となり、足入れ性が損なわれてしまう。
【０００８】
一方、中央エントリータイプのスキーブーツは、リヤエントリータイプのスキーブーツと同じように作られていると思われがちであるが、この中央エントリータイプのスキーブーツは、足入れを容易にするためにブーツシェルに対してブーツレッグの後方への傾きを許容する器具が与えられ、それによってリヤエントリータイプのスキーブーツと同じ利点を得ている。このようなタイプのスキーブーツは、ブーツレッグが後方に傾いた時に歩行が容易になるという別な利点を有する。
【０００９】
欧州特許出願第０２２９４０５号に記載された実施例の図９から図１２には、ピン３２によって相互に枢着され、それぞれピン３０, ３５の手段によってブーツシェル１およびブーツレッグ２にそれぞれ枢着した二つのクランク状部材２９, ３１を有する締め金具が描かれている。その図９には、前方にブーツレッグ２が傾いた締め付け位置にある締め金具が描かれている。この位置を基準として、ブーツレッグ２から一方のクランク状部材が離れる動きとなるように、ブーツシェル１に枢着した他方のクランク状部材の上に一方のクランク状部材を移動して締め金具の締め付けを解除し、これによってピン３０, ３５がより接近する結果、ブーツレッグ２が後方に傾くようになっている。ブーツレッグ２を再び最初の位置にして締め金具を締め付けるためには、同じクランク状部材を最初の位置まで引き上げることで達成できる。
【００１０】
しかしながら、上述した締め金具は、ブーツレッグが後方に傾いた時、図１０および図１１に描いたように、歩行動作の間ずっと、締め金具がブーツレッグ２から突出するという事実のため、種々の欠点を有する。実際、スポーツ活動の間ずっとスキーヤーが重い衣類およびスキー板の如きスポーツ用品のためにぎごちない方法で歩くということを考慮に入れた時、締め金具がスキーブーツの後部から突出することは、すでに困難となっている歩行をさらに妨げる可能性がある。さらに、この締め金具が障害物にぶつかって損傷を受けたり、さらには周囲の人達にぶつかって事故をもたらす可能性がある。
【００１１】
【発明の目的】
本発明の第一の目的は、後方へのブーツレッグの傾きを許容することにより、ブーツシェルに対して脚が最適な位置となるようにし、足入れ性および歩行動作を容易にするスポーツブーツ用の締め金具を提供することにある。
【００１２】
本発明の第二の目的は、ブーツレッグが前方に傾いたスポーツ活動のために有効な位置およびスポーツブーツを履いたりあるいは歩いたりする場合に有効なブーツレッグが後方に傾いた位置の両方において、ブーツレッグから外側に突出しない締め金具を提供することにある。
【００１３】
【課題を解決するための手段】
本発明による締め金具は、ブーツシェルと、このブーツシェルにレッグ枢着ピンを介して回動自在に枢着されたブーツレッグとの間に設けられ、前記ブーツシェルに前記ブーツレッグを締め付けるための締め金具であって、一端側が前記ブーツシェルに第一のピンを介して回動自在に枢着された第一の部材と、この第一の部材に連結ピンを介して一端側が回動自在に枢着されると共に他端側が前記ブーツレッグに第二のピンを介して回動自在に枢着された第二の部材と、これら第一の部材および第二の部材の何れか一方に形成される操作アームとを具え、前記第一の部材および前記第二の部材の何れか一方は、全体の長さが変わるように相互に連結した少なくとも二つの連結調整部材からなり、これら少なくとも二つの連結調整部材は、全体の長さが伸縮し得るように相対的に摺動可能に連結されていることを特徴とするものである。
【００１４】
ここで、他方の前記連結調整部材の突出部が摺動自在に係合する溝部を一方の前記連結調整部材に形成することができる。さらに、一方の前記連結調整部材が中空をなし、この一方の連結調整部材の内側に他方の前記連結調整部材の一部を収納することも可能である。この場合には、前記他方の連結調整部材の一部をねじ軸とし、一方の連結調整部材を枠状に形成してその内側にねじ軸と、このねじ軸を囲む圧縮ばねと、ねじ軸に螺合するナットとを収容し、これにより圧縮ばねの一端をナットに当接させると共に圧縮ばねの他端を枠状をなす一方の連結部材の底部に当接させ、ブーツレッグの傾きを調整可能とすることができる。さらに、ナット部材の外周面に操作用のきざみを形成することが有効である。枠状をなす一方の連結調整部材の外側に位置するねじ軸の一端部に調整ノブを取り付け、これをねじ軸の長手方向に沿って移動可能に設けることも可能である。
【００１５】
なお、前記締め金具を前記ブーツシェルの後部に配置し、前記第一の部材を前記ブーツシェルに前記第一のピンを介して回動自在に枢着し、前記第二の部材を前記ブーツレッグに前記第二のピンを介して回動自在に枢着し、前記操作アームを前記第二の部材に形成し、前記連係調整部材を前記第一の部材に設けることができる。この場合、前記第一のピンと前記第二のピンとの間に前記連結ピンが位置して前記ブーツレッグの後方移動を阻止する前記締め金具の締め付け位置を設定し、この締め付け位置において前記第一の部材の長さが最小となるようにしたり、前記第二のピンに対して前記第一のピンの反対側に前記連結ピンが位置して前記ブーツレッグの後方移動を許容する前記締め金具の締め付け解除位置を設定し、この締め付け解除位置において前記第一の部材の長さが最大となるようにすることができる。また、前記締め金具は、前記締め付け位置および前記締め付け解除位置の両方で、前記ブーツレッグに形成した台座に収納されるものであっても良い。
【００１６】
一方、前記少なくとも二つの連結調整部材の間にコイルばねなどの緩衝部材を介装するようにしても良い。また、前記ブーツシェルに対して前記第一の部材を回動自在に枢着する前記第一のピンが、前記ブーツシェルに形成したピン案内溝に沿って少なくとも二つの位置に移動可能となるようにしても良く、前記第二の部材をクランク状部材とすることができる。
【００１７】
【作用】
本発明によると、ブーツシェルに対してブーツレッグが締め付け状態では、第一のピンと第二のピンとの間に連結ピンが位置し、二つの連結調整部材の長さが最小になり、ブーツレッグのレッグ枢着ピン回りの回動が拘束される。
【００１８】
この状態から操作アームを回すと、連結ピンが第一のピンに対して第二のピンの反対側か、あるいは第二のピンに対して第一のピンの反対側に位置し、二つの連結調整部材の長さが最大となり、レッグ枢着ピン回りのブーツレッグの回動が可能な状態となる。
【００１９】
何れの場合も、締め金具はブーツレッグに形成した台座に収納される。
【００２０】
【実施例】
本発明による締め金具をスキーブーツに応用した一実施例について図１〜図５を参照しながら詳細に説明する。
【００２１】
これら図１〜図５において、スキーブーツは、全体として参照符号１０で示され、レッグ枢着ピン２０によってブーツレッグ１８を回動自在に枢着した堅固なブーツシェル１２を有し、このレッグ枢着ピン２０は、紙面に対して垂直な軸線回りにブーツレッグ１８とブーツシェル１２との間の相対回転を許容する。締め金具２２は、より詳細に後述するように、ブーツレッグ１８の後方移動を許容するため、前記ブーツシェル１２およびブーツレッグ１８の後部でこれらの間に介装される。
【００２２】
前記締め金具２２は、それぞれピン２８, ３０によってブーツシェル１２およびブーツレッグ１８にそれぞれ回動自在に枢着した参照符号２４, ２６で示す第一および第二のクランク状部材を有し、これらクランク状部材２４, ２６は連結ピン３２によって相互に回動自在に枢着されている。ピン２８, ３０, ３２の軸線は、スキーブーツ１０の前後方向に沿った鉛直面、つまり紙面に対して直交している。この締め金具２２の移動は、実質上、この鉛直面に沿って行われる。
【００２３】
前記第一のクランク状部材２４は、二つの連結調整部材３４, ３６を有する。第一の連結調整部材３４は、第一のピン２８によってブーツレッグ１８に回動自在に枢着されるのに対し、第二の連結調整部材３６は、連結ピン３２によって第二のクランク状部材２６に回動自在に枢着される。この第二の連結調整部材３６は、図５に示すように、中空をなし、その内側に伸縮自在の構造を形成するように摺動する第一の連結調整部材３４がある。コイルばね３８は、第二の連結調整部材３６の内側に収納され、この第二の連結調整部材３６と第一の連結調整部材３４との間に介装され、コイルばね３８は、締め金具２２の締め付けあるいは締め付け解除操作の間に発生するがた付きを減らす機能を有する。第二のクランク状部材２６の操作は、第二のピン３０に対して当該クランク状部材２６の反対側に延びる操作アーム４０により容易に行うことができる。
【００２４】
前記第一のピン２８は、締め金具２２が締め付けられてブーツレッグ１８が前方位置にある時、および締め金具２２が外されてブーツレッグ１８が後方位置にある時、共にブーツシェル１２に対して変化するように、ブーツレッグ１８の傾きを許容するブーツシェル１２に設けた溝４２に沿って調整可能である。図１および図２に描いた締め付け位置、および図４に描いた締め付け解除位置の両方とも、ブーツレッグ１８の前方位置および後方位置をそれぞれ描いており、締め金具２２はブーツレッグ１８に設けた台座４４の内側に完全に収納される。
【００２５】
締め金具２２の締め付けおよび締め付け解除操作をより理解するため、スキー活動中の状態の位置となる図２に描いたブーツレッグ１８の前方位置を基準として、レッグ枢着ピン２０の軸線回りのブーツレッグ１８の後方回転が、ピン２８, ３０の相互接近をもたらし、この相互接近が重要であることを指摘しておく。つまり、図２は、二つのピン２８, ３０の間に介在する二つのクランク状部材２４, ２６を連結ピン３２が接続した状態を描写している。このような位置において、第一のクランク状部材２４の第一の連結調整部材３４は、完全に第二の連結調整部材３６の内側に収納され、操作アーム４０ならびに第二のクランク状部材２６はロック状態にある。ここで、第二のクランク状部材２６がロック状態となって第一のクランク状部材２４が短くなっているため、これがつっかえ棒となって二つのピン２８, ３０は相互に近づくことができず、従ってブーツレッグ１８のいかなる後方回転も阻止される。
【００２６】
図３中の矢印Ａに示すように、操作アーム４０を操作して第二のクランク状部材２６を約１８０度回転することにより、図４に示すように、二つのクランク状部材２４, ２６を接続する連結ピン３２は、第二のピン３０に対して第一のピン２８の反対位置に移動する。この位置において、操作アーム４０ならびに第二のクランク状部材２６がロック状態となり、第一のクランク状部材２４は最も引き伸ばされた状態となる。この結果、ブーツレッグ１８は、図４中の矢印Ｂで示すように、この図４に描いた位置まで後方に倒すことができる。ブーツレッグ１８をさらに後方に傾けることにより、第一の連結調整部材３４は第二の連結調整部材３６に完全に嵌め込まれ、これ以上のブーツレッグ１８のさらなる後方回転が妨げられる。このようなブーツレッグ１８の後方への傾きの制限位置は、第一のクランク状部材２４の長さの最大変化量に依存する。
【００２７】
ブーツレッグ１８を最初の位置にして締め金具２２を締め付けるためには、操作アーム４０を回転することで充分である。その結果、第二のクランク状部材２６がその第二のピン３０を軸として回転し、そして二つのクランク状部材２４, ２６を接続する連結ピン３２は、ピン２８, ３２の間の距離および第一のクランク状部材２４の長さのの減少をもたらす二つのピン２８, ３０の間の中間位置、すなわち締め付け位置に移動する。第一のクランク状部材２４が完全に二つのピン２８, ３０の間に位置し、この第一のクランク状部材２４の長さをさらに短く縮めることができないので、二つのピン２８, ３０は、必然的にそれらの間が離れるように移動しなければならず、ブーツレッグ１８が前方に移動することを強制され、そして操作アーム４０が最初の位置に達した時、図２に示すように、ブーツレッグ１８は前方に倒される。最終的に、操作アーム４０を締め付けることによって、ブーツレッグ１８は後方への回転が妨げられる。
【００２８】
締め金具２２を締め付けるため、上述した操作アーム４０を回転する代わりに、ブーツレッグ１８を前方に傾けるこることによって行うことも可能である。すなわち、ブーツレッグ１８を前方に傾けると、これと同時に第一のクランク状部材２４の長さが伸びて完全に延びた位置に達する。そして、ブーツレッグ１８をさらに前方に傾けることにより、第一のクランク状部材２４は完全に引っ込められ、ブーツレッグ１８が後方に傾くのを妨げる図２に描いた位置に達し、操作アーム４０により第二のクランク状部材２６をほぼ１８０度回転するのに充分となる。
【００２９】
上述した実施例に対し、概念上および機能上同等物に修正や変更を行うことは当然可能である。
【００３０】
例えば、本発明における締め金具の変更実施例は、先のものと同様の締め金具からなり、ブーツシェルと第二のクランク状部材とにそれぞれ回動自在に枢着した第一のクランク状部材が所定長であり、この第一のクランク状部材に第二のクランク状部材との枢着位置の反対側に操作アームを形成し、第二のクランク状部材を伸縮自在の伸長性を有するものであっても良い。以下、明瞭化の目的で先の実施例と同じ参照符号を、類似あるいは相似の部材を示すために用いることとする。
【００３１】
この変更実施例での締め金具２２が締め付けられた状態において、操作アーム４０ならびに第一のクランク状部材が締め付けられ、二つのクランク状部材２４, ２６を接続する連結ピン３２は、第一のピン２８, ３０の間に介装され、第二のクランク状部材２６は、完全に引っ込められる。この結果、ブーツレッグ１８の任意の後方への傾きが妨げられるので、二つのピン２８, ３０の間の間隔を減少させることはできない。
【００３２】
操作アーム４０を約１８０度回転することによって、連結ピン３２は、第一のピン２８に対して第二のピン３０の反対側の所定位置に達し、第二のクランク状部材２６の長さが伸びる。従って、ブーツレッグ１８は後方に倒れることが可能となり、このブーツレッグ１８の後方への傾きにより、第二のクランク状部材２６の長さが減少し、ふたたび第二のクランク状部材２６が完全に引っ込んだ位置になる。ブーツレッグ１８を最初の位置に戻して締め金具２２を締め付けるためには、先に説明したように、操作アーム４０をほぼ１８０度回転するか、あるいはその代わりにブーツレッグ１８を前方に移動することで充分であり、これに引き続いて締め金具２２を締め付けるべく操作アーム４０を回転する。
【００３３】
本発明は、締め金具２２が締め付けられてスキー行動を許容するような位置にブーツレッグ１８がある時のみならず、締め金具２２の締め付けが解除されて歩行を容易にするため、ブーツレッグ１８が真っ直ぐとなる締め付け解除位置にある時も、ブーツレッグ１８に適切に形成した台座４４の内側に収納されるという事実の結果、種々の利点を有する。例えば、締め金具２２が歩行行動の間、ブーツレッグ１８が真っ直ぐな位置にある時、ブーツレッグ１８から突出しないということを容易に認めることが可能であり、スキーヤーが歩行中につまずいてしまうような可能性を低下させることができる。さらに、締め金具２２がぶつかって損傷を受けてしまうような可能性も減少させることができる。
【００３４】
本発明は、ブーツレッグ１８のより大きな前方傾斜を許容するため、ブーツシェル１２に対する第一のクランク状部材２４の支持点、すなわち第一のピン２８を溝４２に沿って段階的に移動することができるように、さらに改良することができる。
【００３５】
本発明の締め金具は、この締め金具の後者の特徴と共働するか、あるいは単独で、負荷が作用した時にスキーブーツの前方への可撓性を制限することができるばね構造と共に与えることができる。
【００３６】
先の図面の参照符号をできるだけ多く使用した変更実施例を図６に示す。この実施例において、参照符号４０は、図５に示した中空の連結部材調整部材３６に対応する枠状連結調整部材１３６に設けた操作アームである。この枠状連結調整部材１３６は、ねじ軸１３４（先の実施例の第一の連結調整部材３４に相当する）を内側に収納し、雌ねじを切ったナット部材１４２の外周面が保持され、ねじ軸１３４に沿ったナット部材１４２の位置は、当該ナット部材１４２の外周面を外側から操作することによって調整することができる。圧縮ばね１３８は、枠状連結調整部材１３６の底とナット部材１４２との間に介装され、このばねは図５のコイルばね３８と同じようにそれ自体の圧縮に伴う緩衝機能を有する。
【００３７】
ねじ軸１３４の下端は、調整ノブ１４４がねじ軸１３４の軸線に沿って移動することができる第一のピン１２８を具えた雄ねじ部材によって、調整ノブ１４４に一体的に連結される。上述した説明から、図６の実施例が先の図に描いた実施例の締め付けおよび解放の状態のみならず、以下の状態の達成もまた確実であることは明らかである。すなわち、調整ノブ１４４の回転位置を変えることによるブーツレッグの最大傾きの調整、およびナット部材１４２の回転位置を変えることにより曲がるブーツレッグの調整。
【００３８】
本発明は、前述したたように、他のスポーツブーツにも使用できることが可能である。例えば、この締め金具は、スノーボード用スキーブーツの側部締め金具や、山スキーブーツの前べろの締め金具としても使用することができる。
【００３９】
【発明の効果】
本発明の締め金具によると、一端側がブーツシェルに第一のピンを介して回動自在に枢着された第一の部材と、この第一の部材に連結ピンを介して一端側が回動自在に枢着されると共に他端側がブーツレッグに第二のピンを介して回動自在に枢着された第二の部材と、これら第一の部材および第二の部材の何れか一方に形成される操作アームとを設け、第一の部材および前記第二の部材の何れか一方を、全体の長さが変わるように相互に連結した少なくとも二つの連結調整部材にて形成したので、後方へのブーツレッグの傾きを許容することにより、ブーツシェルに対して脚が最適な位置となるようにし、足入れ性および歩行動作を容易にするスポーツブーツ用の締め金具を得ることができる。
【００４０】
また、ブーツレッグに台座を形成し、締め付け位置および締め付け解除位置の両方で締め金具をこの台座に収納するようにしたので、ブーツレッグが前方に傾いたスポーツ活動のために有効な位置およびスポーツブーツを履いたりあるいは歩いたりする場合に有効なブーツレッグが後方に傾いた位置の両方において、ブーツレッグから外側に突出しないスポーツブーツ用の締め金具を得ることができる。
【００４１】
さらに、スポーツブーツに設けられた掛け金に対するレバーの掛け止めが困難な場合、あらかじめ締め金具を操作してブーツシェルに対してブーツレッグを締め付けることにより、掛け金に対するレバーの掛け止め操作を容易にすることができる。
【図面の簡単な説明】
【図１】本発明による締め金具をスキーブーツに応用した一実施例におけるスキーブーツの断面形状を表す概念図である。
【図２】図１に示した実施例における締め金具の締め付け状態を表すスキーブーツの一部を抽出した概念図である。
【図３】図１に示した実施例における締め金具を締め付け解除状態に移行させる場合の操作レバーの移動軌跡を示すスキーブーツの一部を抽出した概念図である。
【図４】図１に示した実施例における締め金具の締め付け解除状態あるいは歩行状態を表すスキーブーツの一部を抽出した概念図である。
【図５】図１に示した本実施例における締め金具の部分の分解斜視図である。
【図６】本発明による締め金具の他の実施例の構造を表す断面図である。
【符号の説明】
１０  スキーブーツ
１２  ブーツシェル
１８  ブーツレッグ
２０  レッグ枢着ピン
２２  締め金具
２４  第一のクランク状部材
２６  第二のクランク状部材
２８  第一のピン
３０  第二のピン
３２  連結ピン
３４  第一の連結調整部材
３６  第二の連結調整部材
３８  コイルばね
４０  操作アーム
４２  溝
４４  台座
１３４  ねじ軸
１３６  枠状連結調整部材
１３８  圧縮ばね
１４２  ナット部材
１４４  調整ノブ
【図１】
0003781446.tif 000002
【図２】
0003781446.tif 000003
【図３】
0003781446.tif 000004
【図４】
0003781446.tif 000005
【図５】
0003781446.tif 000006
【図６】
0003781446.tif 000007